(57)【要約】【課題】  本発明は、ウェブコンテンツのレイアウトを崩さず、ウェブコンテンツ内の情報を削除することなしに、ユーザが認識しやすいようにウェブコンテンツの内容を拡大表示することが可能なテレビジョン放送受信装置、テレビジョン放送受信システム及び表示制御方法を提供する。【解決手段】    モニタ１３にウェブコンテンツの初期画面が表示されている状態において、「出演者のインタビュー」という項目がカーソルで選択されていることとする。この初期画面表示状態から、ユーザがリモートコントローラ１６の移動キー１１１を用いてカーソルを移動させる。すると、テレビジョン放送受信装置１２は、この移動キー１１１の操作情報に基づいて、拡大表示の対象要素となるカーソルの移動先の文字を判断し、カーソルの移動先の文字を拡大表示領域Ｙ１，Ｙ２により大きなフォントサイズで表示する。【選択図】  図５
2006019780.tif 000002
【特許請求の範囲】
【請求項１】
スクリーンパネルを有する表示装置に有線あるいは無線で接続され、受信したテレビジョン放送に基づく映像画面を予め設定されたアスペクト比からなる所定の画面サイズで上記表示装置のスクリーンパネルに表示させるテレビジョン放送受信装置において、
通信ネットワークを介して外部サーバからウェブコンテンツを受信するコンテンツ受信手段と、
このコンテンツ受信手段によって受信されたコンテンツに基づいてブラウザ画面を生成するブラウザ画面生成手段と、
このブラウザ画面生成手段で生成されたブラウザ画面を上記アスペクト比で上記スクリーンパネルに表示させるよう制御すると共に、上記ブラウザ画面を表示した状態で、上記表示されたブラウザ画面においてユーザによって指示された表示情報を拡大して、上記スクリーンパネルにおける上記ブラウザ画面が表示されていない表示エリアに表示させるよう制御する制御手段と、
を有することを特徴とするテレビジョン放送受信装置。
【請求項２】
上記制御手段は、このブラウザ画面生成手段で生成されたブラウザ画面を上記アスペクト比で上記スクリーンパネルを構成する外枠の一辺に隣接する位置にずらして表示させるよう制御すると共に、上記ブラウザ画面を表示した状態で、上記ブラウザ画面においてユーザによって指示された表示情報を拡大して、上記スクリーンパネルにおいてずらして表示させたことによって生じたブラウザ画面が表示されていない表示エリアに表示させるよう制御することを特徴とする請求項１記載のテレビジョン放送受信装置。
【請求項３】
上記制御手段は、
テレビジョン放送を表示する際には、上記受信したテレビジョン放送に基づく映像画面を予め設定されたアスペクト比からなる第１の画面サイズで上記スクリーンパネルに表示させるよう制御し、
ブラウザ画面を表示する際には、上記アスペクト比を変更することなく上記第１の画面サイズを縮小した第２の画面サイズで上記スクリーンパネルに表示させると共に、上記ブラウザ画面を表示した状態で、上記ブラウザ画面においてユーザによって指示された表示情報を拡大して、上記スクリーンパネルにおいて縮小表示させたことによって生じたブラウザ画面が表示されていない表示エリアに表示させるよう制御することを特徴とする請求項１記載のテレビジョン放送受信装置。
【請求項４】
上記制御手段は、
上記ブラウザ画面においてユーザによって指示された表示情報に、予め設定された大きさを超えないビットマップ画像からなるかを判定するビットマップ判定手段と、
この判定手段によって予め設定された大きさを超えないビットマップ画像からなると判定されると、上記ブラウザ画面を表示した状態で、上記ビットマップ画像を拡大して、上記スクリーンパネルにおける上記ブラウザ画面が表示されていない表示エリアに表示させるよう制御する表示制御手段と、
を有することを特徴とする請求項１のテレビジョン放送受信装置。
【請求項５】
上記制御手段は、
上記ブラウザ画面においてユーザによって指示された表示情報に、予め設定された大きさを超えないビットマップ画像からなるかを判定するビットマップ判定手段と、
この判定手段によって予め設定された大きさを超えないビットマップ画像からなると判定されると、文字認識処理を実行してビットマップ画像に含まれている文字情報を抽出する抽出手段と、
この抽出手段によって抽出された文字情報を拡大して、上記ブラウザ画面を表示した状態で、上記スクリーンパネルにおける上記ブラウザ画面が表示されていない表示エリアに表示させるよう制御する表示制御手段と、
を有することを特徴とする請求項１のテレビジョン放送受信装置。
【請求項６】
テレビジョン放送信号を受信するテレビジョン受信装置と、このテレビジョン受信装置と有線あるいは無線で接続され、受信したテレビジョン放送信号に基づく映像画面を表示する第１の表示パネルと、この第１の表示パネルに少なくとも一部重なった位置に設けられ、文字情報を表示する透明な第２の表示パネルとを有する表示装置とからなるテレビジョン放送受信システムにおいて、
通信ネットワークを介して外部サーバからウェブコンテンツを受信するコンテンツ受信手段と、
このコンテンツ受信手段によって受信されたコンテンツに基づいてブラウザ画面を生成するブラウザ画面生成手段と、
このブラウザ画面生成手段で生成されたブラウザ画面を上記第１の表示パネルに表示するよう制御すると共に、ユーザからの拡大表示の指示が入力されると、上記第１の表示パネルに表示されたブラウザ画面においてユーザによって指示された表示情報を拡大して、上記第２の表示パネルの上記ブラウザ画面と重なる位置に表示するよう制御する制御手段と、
を有することを特徴とするテレビジョン放送受信システム。
【請求項７】
スクリーンパネルを有する表示装置に有線あるいは無線で接続され、受信したテレビジョン放送に基づく映像画面を予め設定されたアスペクト比からなる所定の画面サイズで上記表示装置のスクリーンパネルに表示させるテレビジョン放送受信装置における表示処理方法において、
通信ネットワークを介して外部サーバから受信したウェブコンテンツに基づいてブラウザ画面を生成するブラウザ画面生成ステップと、
この生成されたブラウザ画面を上記アスペクト比で上記スクリーンパネルに表示させる表示ステップと、
このブラウザ画面を表示した状態で、上記ブラウザ画面においてユーザによって指示された表示情報を拡大して、上記スクリーンパネルにおける上記ブラウザ画面が表示されていない表示エリアに表示させる拡大表示ステップと、
を有することを特徴とするテレビジョン放送受信装置における表示制御方法。
【請求項８】
上記表示ステップは、上記生成されたブラウザ画面を上記アスペクト比で上記スクリーンパネルを構成する外枠の一辺に隣接する位置にずらして表示させることを特徴とする請求項７記載の表示制御方法。
【請求項９】
スクリーンパネルを有する表示装置に有線あるいは無線で接続され、受信したテレビジョン放送に基づく映像画面を予め設定されたアスペクト比からなる第１の画面サイズで上記表示装置のスクリーンパネルに表示させるテレビジョン放送受信装置における表示処理方法において、
通信ネットワークを介して外部サーバから受信したウェブコンテンツに基づいてブラウザ画面を生成するブラウザ画面生成ステップと、
ブラウザ画面を表示する際には、上記アスペクト比を変更することなく上記第１の画面サイズを縮小した第２の画面サイズで上記スクリーンパネルに表示させる表示ステップと、
このブラウザ画面を表示した状態で、上記ブラウザ画面においてユーザによって指示された表示情報を拡大して、上記スクリーンパネルにおいて縮小表示させたことによって生じたブラウザ画面が表示されていない表示エリアに表示させる拡大表示ステップと、
を有することを特徴とする表示制御方法。
【請求項１０】
上記拡大表示ステップは、
上記ブラウザ画面においてユーザによって指示された表示情報に、予め設定された大きさを超えないビットマップ画像からなるかを判定する判定ステップと、
この判定ステップにより予め設定された大きさを超えないビットマップ画像からなると判定されると、上記ブラウザ画面を表示した状態で、上記ビットマップ画像を拡大して、上記スクリーンパネルにおける上記ブラウザ画面が表示されていない表示エリアに表示させるビットマップ拡大表示ステップと、
を有することを特徴とする請求項７の表示制御方法。
【請求項１１】
上記拡大表示ステップは、
上記ブラウザ画面においてユーザによって指示された表示情報に、予め設定された大きさを超えないビットマップ画像からなるかを判定する判定ステップと、
この判定手段によって予め設定された大きさを超えないビットマップ画像からなると判定されると、文字認識処理を実行してビットマップ画像に含まれている文字情報を抽出するステップと、
この抽出文字情報を拡大して、上記ブラウザ画面を表示した状態で、上記スクリーンパネルにおける上記ブラウザ画面が表示されていない表示エリアに表示させるビットマップ拡大表示ステップと、
を有することを特徴とする請求項７の表示制御方法。
【請求項１２】
テレビジョン放送信号を受信するテレビジョン受信装置と、このテレビジョン受信装置と有線あるいは無線で接続され、受信したテレビジョン放送信号に基づく映像画面を表示する第１の表示パネルと、この第１の表示パネルに少なくとも一部重なった位置に設けられ、文字情報を表示する透明な第２の表示パネルとを有する表示装置とからなるテレビジョン放送受信システムにおける表示制御方法において、
通信ネットワークを介して外部サーバからウェブコンテンツに基づいてブラウザ画面を生成するブラウザ画面生成ステップと、
この生成されたブラウザ画面を上記第１の表示パネルに表示するよう制御する表示ステップと、
ユーザからの拡大表示の指示が入力されると、上記第１の表示パネルに表示されたブラウザ画面においてユーザによって指示された表示情報を拡大して、上記第２の表示パネルの上記ブラウザ画面と重なる位置に表示する拡大表示ステップと、
を有することを特徴とする表示制御方法。
【発明の詳細な説明】
【技術分野】
【０００１】
本発明は、テレビジョン放送番組を受信して表示すると共にウェブコンテンツを表示するテレビジョン放送受信装置、テレビジョン放送受信システム及び表示制御方法に関し、特にウェブコンテンツのレイアウトを保持しながら、ユーザに認識しやすいようにウェブコンテンツの内容拡大表示するものに関する。
【背景技術】
【０００２】
ユーザがコンピュータの表示装置でウェブコンテンツを閲覧する場合、通常ユーザは表示装置に表示されたウェブコンテンツの文字や図を視認しながら、入力デバイスを用いて各種データやコマンドを入力するといった操作を実行する。近年、コンピュータネットワークが広く普及してきており、コンピュータの表示装置に表示されるウェブコンテンツの文字などを、ユーザが認識しやすいように、拡大表示することが要望されている。そして、このような装置として、例えば、ウェブコンテンツ全体のレイアウトを崩さずに、ウェブコンテンツ等の文書の内容を所望のフォントサイズや行間隔、文字間隔といった表示条件で表示装置に表示する情報処理システムが考えられている（例えば、特許文献１参照）。
【特許文献１】特開２００１−１８４３４４公報
【発明の開示】
【発明が解決しようとする課題】
【０００３】
しかしながら、従来の装置では、表示装置に表示されるウェブコンテンツ等の文書の内容に対して重み付けを行い、その重み付けに基づいて、重要な語句（文字）を拡大表示し、その代わりに重み付けの低い語句（文字）を削除して、要約を作成することにより、ウェブコンテンツ全体のレイアウトを崩さないようにしている。この結果、ユーザが表示装置にてウェブコンテンツを閲覧する際には、重み付けの低い部分が既に削除された状態であり、この削除された部分がユーザにとって真に不要な情報であるかは不明であり、ユーザが閲覧する前にユーザにとって真に重要な部分を誤って削除してしまう可能性がある。
【０００４】
本発明は、以上の点に鑑みなされたもので、ウェブコンテンツのレイアウトを崩さず、ウェブコンテンツ内の表示情報を削除することなしに、ユーザが認識しやすいようにウェブコンテンツの表示内容を拡大して表示することが可能なテレビジョン放送受信装置、テレビジョン放送受信システム及び表示制御方法を提供することを目的とする。
【課題を解決するための手段】
【０００５】
上記目的を達成するために、本発明のテレビジョン放送受信装置は、スクリーンパネルを有する表示装置に有線あるいは無線で接続され、受信したテレビジョン放送に基づく映像画面を予め設定されたアスペクト比からなる所定の画面サイズで上記表示装置のスクリーンパネルに表示させるテレビジョン放送受信装置において、通信ネットワークを介して外部サーバからウェブコンテンツを受信するコンテンツ受信手段と、このコンテンツ受信手段によって受信されたコンテンツに基づいてブラウザ画面を生成するブラウザ画面生成手段と、このブラウザ画面生成手段で生成されたブラウザ画面を上記アスペクト比で上記スクリーンパネルに表示させるよう制御すると共に、上記ブラウザ画面を表示した状態で、上記表示されたブラウザ画面においてユーザによって指示された表示情報を拡大して、上記スクリーンパネルにおける上記ブラウザ画面が表示されていない表示エリアに表示させるよう制御する制御手段と、を有することを特徴とする。
【０００６】
上記目的を達成するために、本発明のテレビジョン放送受信システムは、テレビジョン放送信号を受信するテレビジョン受信装置と、このテレビジョン受信装置と有線あるいは無線で接続され、受信したテレビジョン放送信号に基づく映像画面を表示する第１の表示パネルと、この第１の表示パネルに少なくとも一部重なった位置に設けられ、文字情報を表示する透明な第２の表示パネルとを有する表示装置とからなるテレビジョン放送受信システムにおいて、通信ネットワークを介して外部サーバからウェブコンテンツを受信するコンテンツ受信手段と、このコンテンツ受信手段によって受信されたコンテンツに基づいてブラウザ画面を生成するブラウザ画面生成手段と、このブラウザ画面生成手段で生成されたブラウザ画面を上記第１の表示パネルに表示するよう制御すると共に、ユーザからの拡大表示の指示が入力されると、上記第１の表示パネルに表示されたブラウザ画面においてユーザによって指示された表示情報を拡大して、上記第２の表示パネルの上記ブラウザ画面と重なる位置に表示するよう制御する制御手段と、を有することを特徴とする。
【０００７】
上記目的を達成するために、本発明の表示制御方法は、スクリーンパネルを有する表示装置に有線あるいは無線で接続され、受信したテレビジョン放送に基づく映像画面を予め設定されたアスペクト比からなる所定の画面サイズで上記表示装置のスクリーンパネルに表示させるテレビジョン放送受信装置における表示処理方法において、通信ネットワークを介して外部サーバから受信したウェブコンテンツに基づいてブラウザ画面を生成するブラウザ画面生成ステップと、この生成されたブラウザ画面を上記アスペクト比で上記スクリーンパネルに表示させる表示ステップと、このブラウザ画面を表示した状態で、上記ブラウザ画面においてユーザによって指示された表示情報を拡大して、上記スクリーンパネルにおける上記ブラウザ画面が表示されていない表示エリアに表示させる拡大表示ステップと、を有することを特徴とする。
【０００８】
上記目的を達成するために、本発明の表示制御方法は、スクリーンパネルを有する表示装置に有線あるいは無線で接続され、受信したテレビジョン放送に基づく映像画面を予め設定されたアスペクト比からなる第１の画面サイズで上記表示装置のスクリーンパネルに表示させるテレビジョン放送受信装置における表示処理方法において、通信ネットワークを介して外部サーバから受信したウェブコンテンツに基づいてブラウザ画面を生成するブラウザ画面生成ステップと、ブラウザ画面を表示する際には、上記アスペクト比を変更することなく上記第１の画面サイズを縮小した第２の画面サイズで上記スクリーンパネルに表示させる表示ステップと、このブラウザ画面を表示した状態で、上記ブラウザ画面においてユーザによって指示された表示情報を拡大して、上記スクリーンパネルにおいて縮小表示させたことによって生じたブラウザ画面が表示されていない表示エリアに表示させる拡大表示ステップと、を有することを特徴とする。
【０００９】
上記目的を達成するために、本発明の表示制御方法は、テレビジョン放送信号を受信するテレビジョン受信装置と、このテレビジョン受信装置と有線あるいは無線で接続され、受信したテレビジョン放送信号に基づく映像画面を表示する第１の表示パネルと、この第１の表示パネルに少なくとも一部重なった位置に設けられ、文字情報を表示する透明な第２の表示パネルとを有する表示装置とからなるテレビジョン放送受信システムにおける表示制御方法において、通信ネットワークを介して外部サーバからウェブコンテンツに基づいてブラウザ画面を生成するブラウザ画面生成ステップと、この生成されたブラウザ画面を上記第１の表示パネルに表示するよう制御する表示ステップと、ユーザからの拡大表示の指示が入力されると、上記第１の表示パネルに表示されたブラウザ画面においてユーザによって指示された表示情報を拡大して、上記第２の表示パネルの上記ブラウザ画面と重なる位置に表示する拡大表示ステップと、を有することを特徴とする。
【発明の効果】
【００１０】
本発明によれば、ウェブコンテンツのレイアウトを崩さず、ウェブコンテンツ内の情報を削除することなしに、ユーザが認識しやすいようにウェブコンテンツの内容を拡大表示することができる。
【発明を実施するための最良の形態】
【００１１】
以下、本発明に係る実施の形態について図面を参照して詳細に説明する。図１は、本発明に係る放送受信装置としてのテレビジョン放送受信装置１２を含むテレビジョン放送受信システムＡの概略を示す図である。
【００１２】
テレビジョン放送受信システムＡは、図１に示すように、アンテナ１１、テレビジョン放送受信装置１２、表示装置としてのモニタ１３およびスピーカ１４から構成されている。また、テレビジョン放送受信装置１２の各種動作をユーザが遠隔操作するためのリモートコントローラ１６が更に設けられている。
【００１３】
アンテナ１１は、放送電波を受信してテレビジョン放送信号としてテレビジョン放送受信装置１２に出力する。テレビジョン放送受信装置１２は、入力されたテレビジョン放送信号に対して、選局処理や復元処理等を施して元の映像信号及び音声信号を復元する。そして、テレビジョン放送受信装置１２は、この復元された映像信号をモニタ１３に供給し、復元された音声信号をスピーカ１４に供給する。モニタ１３では入力された映像信号を表示し、スピーカ１４では入力された音声信号を再生する。
【００１４】
また、テレビジョン放送受信装置１２は、インターネット等のネットワーク情報網１５に接続されている。テレビジョン放送受信装置１２は、ネットワーク情報網１５にアクセスして外部サーバ１７から所望の情報を取得し、取得した情報の映像成分をモニタ１３に供給し、音声成分をスピーカ１４に供給する。
【００１５】
テレビジョン放送受信装置１２は、所定のテレビジョン放送チャンネルを受信している状態で、ユーザからネットワークへのアクセスの指示を受信すると、ネットワーク情報網１５へのアクセスに切り替え、ネットワーク情報網１５から取得したウェブコンテンツ等の情報の映像成分をモニタ１３に映像表示し、その音声成分をスピーカ１４に音声再生する。
【００１６】
また、テレビジョン放送受信装置１２は、ネットワーク情報網１５にアクセスして所望の情報を取得している状態で、ユーザからテレビジョン放送チャンネルの指示を受信すると、入力されたテレビジョン放送信号に対して、指示されたテレビジョン放送チャンネルの選局処理や復元処理等を施して元の映像信号及び音声信号を復元し、この復元映像信号をモニタ１３に表示し、復元音声信号をスピーカ１４にて音声再生する。
【００１７】
尚、本実施の形態におけるテレビジョン放送受信装置１２は、上述するように、テレビジョン放送の表示と、ウェブコンテンツ情報の表示のいずれか一方に切り替えることが可能であるが、これに限らず、後述するように、２つの画面を同時に並べて表示し、一方の画面にテレビジョン放送を表示し、他方の画面にウェブコンテンツ情報を表示することも可能である。
【００１８】
次に、図２は、テレビジョン放送受信装置１２の構成の一実施の形態を示すブロック図である。
図２に示すように、テレビジョン放送受信装置１２においては、上記アンテナ１１で受信されたテレビジョン放送信号が、入力端子２１を介して選局処理部２２に供給される。この選局処理部２２は、入力されたテレビジョン放送信号から所望の放送チャンネルのテレビジョン信号を選局し、この選局されたテレビジョン信号を入力映像処理部２３及び入力音声処理部２４にそれぞれ出力する。
【００１９】
入力映像処理部２３は、入力されたテレビジョン信号の映像成分に対してデコード処理を施し、フィールドまたはフレーム単位の映像信号を復元して、出力映像処理部２５に出力する。入力音声処理部２４は、入力されたテレビジョン信号の音声成分に対してデコード処理を施し、音声信号を復元して出力音声処理部２６に出力する。
【００２０】
制御部２７は、後述する動作を含むテレビジョン放送受信装置１２の全ての動作を統括的に制御する。また、制御部２７は、操作キー処理部２５が接続されており、操作キー処理部２５から入力される操作情報を受信し、その操作内容が反映されるように各回路部をそれぞれ制御している。
【００２１】
また、制御部２７は、ウェブブラウザ処理部３７を有しており、メモリ３８に格納されたＨＴＭＬ（Hyｐertext Markuｐ Language）ソフトを起動することにより、ウェブブラウザ処理部３７にて各種処理を実行し、出力映像処理部２５を介してブラウザ画面を構成する画像信号をモニタ１３に表示することが可能となる。
【００２２】
ウェブブラウザ処理部３７は、レイアウト表示処理部２８、マークアップ言語処理部２９及びフォーカスイベント処理部３０から構成されており、マークアップ言語で記載されたウェブコンテンツを解読し、レイアウトを再現する。またウェブブラウザ処理部３７は、ネットワーク情報網１５に対するアクセス要求を発生し、通信処理部３２及び接続端子３１を介して、ネットワーク情報網１５に送出することができる。
【００２３】
ネットワーク情報網１５から得られるウェブコンテンツは、接続端子３１及び通信処理部３２を介して、マークアップ言語処理部２９に供給される。マークアップ言語処理部２９は、入力されたウェブコンテンツのマークアップ言語を解析（パーズ）処理し、レイアウト表示処理部２８へ出力する。
【００２４】
レイアウト表示処理部２８は、入力された解析結果に基づいてレイアウト座標を確定し、表示すべきビットマップ映像信号を生成して出力映像処理部２５に出力し、効果音等の音声信号を生成して出力音声処理部２６に出力する。レイアウト表示処理部２８は、フォント処理部３４と接続されており、ビットマップ映像信号を生成する際にはフォント処理部３４を読み出して文字描画を行う。
【００２５】
フォーカスイベント処理部３０は、リモートコントローラ１６を含む図示せぬ操作部から入力されたキー情報に基づいて操作情報を判断する操作キー処理部３５が接続されている。フォーカスイベント処理部３０は、操作キー処理部３５から入力された操作情報に応じたレイアウト変更に関する情報をレイアウト表示処理部２８に出力する。
【００２６】
フォーカスイベント処理部３０は、操作キー処理部３５から、例えば後述するリモートコントローラ１６の移動キー（上下左右キー）１０８に対応した操作情報が入力されると、拡大表示の対象となる要素を抽出し、この抽出情報とこの拡大表示を指示する情報とをレイアウト表示処理部２８に出力する。
【００２７】
レイアウト表示処理部２８は、フォーカスイベント処理部３０からの抽出情報が入力されると、マークアップ言語処理部２９より入力された解析結果に基づいたレイアウト座標のうち、抽出情報に対応する箇所を拡大表示するよう変更したレイアウト座標を確定し、表示すべきビットマップ情報を生成する。
【００２８】
これを受けて、出力映像処理部２５は、レイアウト表示処理部２８から供給されたビットマップ情報を映像信号に変換する。そして、出力映像処理部２５は、入力映像処理部２３から供給された映像信号と、ビットマップ情報を変換した映像信号とを、選択的に（または両映像信号を重畳してもよい）出力端子４１を介してモニタ１３に出力し、映像を表示させる。
【００２９】
出力音声処理部２６は、入力音声処理部２４から供給された音声信号と、レイアウト表示処理部２８から供給された音声信号とを、選択的に（または両音声信号を重畳してもよい）出力端子４２を介してスピーカ１４に出力し、音声を再生させる。
【００３０】
メモリ３８は、制御部２７が実行する制御プログラムを格納した読み出し専用メモリ、制御部２７に作業エリアを提供する読み出し書き込みメモリ、各種の設定情報及び制御情報等が格納される不揮発性メモリ等から構成されている。
【００３１】
本実施の形態では、メモリ３８は、テレビジョン放送及びウェブコンテンツ情報を表示する際のアスペクト比や、後述する、ブラウザ画面の一部を拡大して表示する際の拡大表示領域に関する設定情報、ブラウザ画面を構成する画像信号の縮小率に関する情報、あるいはずらして表示する際の移動表示に関する情報が格納されている。
【００３２】
アスペクト比については、例えば、モニタ１３に設けられたスクリーンパネルの縦横比が縦４：横３である場合には、メモリ３８にはアスペクト比４：３が設定されており、ブラウザ画面を縮小する際には４：３のアスペクト比を維持するよう縮小処理が施されることとなる。また、モニタ１３に設けられたスクリーンパネルの縦横比が縦１６、横９のワイドテレビサイズである場合には、メモリ３８にはアスペクト比１６：９が設定されており、ブラウザ画面を縮小する際には１６：９のアスペクト比を維持するよう縮小処理が施されることとなる。
【００３３】
図３は、リモートコントローラ１６の外観を示し、キー配置の一例を示す図である。リモートコントローラ１６は、図３に示すように、主として、電源キー１０１、ワンタッチ選局キー群１０２、受信モード切替キー群１０３、チャンネルアップダウンキー１０４、音量調整キー１０５、戻るキー１０６、終了キー１０７、移動キー１０８、決定キー１０９、メニューキー１１０及びインターネットキー１１１等が設置されている。
【００３４】
電源キー１０１は、テレビジョン放送受信装置１２の電源をオン／オフさせるためのキーである。ワンタッチ選局キー群１０２は、受信チャンネルの切換え、あるいは数字データを入力する際等に使用する１〜１２のキーで構成された数字キーである。受信モード切替キー群１０３は、視聴する受信モードを切り替えるためのキーである。
【００３５】
チャンネルアップダウンキー１０４は、アップ／ダウン動作でチャンネルを選局するためのキーである。音量調整キー１０５は、音量を増大または減少させるためのキーである。戻るキー１０６は、表示画面を１つ前の表示状態へ戻すよう指示するためのキーである。終了キー１０７は、実行している処理の終了を指示するためのキーである。
【００３６】
移動キー１０８は、画面上の項目を選択したり、あるいはモニタに表示された画面上で所望の位置を指し示すカーソルの上下左右の移動を指示するためのキーである。決定キー１０９は、カーソルで選択した項目の登録を指示するためのキーである。メニューキー１１０は、各種メニューを選択するメニュー画面を表示するよう指示するためのキーである。インターネットキー１１１は、ＨＴＭＬブラウザの起動を指示するためのキーである。
【００３７】
次に、図４乃至図１０を用いて、上記構成によるテレビジョン放送受信システムＡ及びテレビジョン放送受信装置１２における、ウェブコンテンツのレイアウトを保ちつつ、ユーザが認識しやすいようにウェブコンテンツの内容を拡大表示する処理について説明する。図４乃至図９は、モニタ１３に表示されたウェブコンテンツのブラウザ画面とその拡大表示画面を示すものである。
【００３８】
まず、例えば図４に示すように、モニタ１３は、表示可能領域Ｒ（縦サイズａ、横サイズｂ：ａ＜ｂ）からなるスクリーンパネルを有しており、テレビジョン映像画像を表示するための映像表示領域Ｐ１（縦サイズｃ、横サイズｄ：ｃ＜ｄ，ａ＞ｃ，ｂ＞ｄ）を表示可能領域Ｒよりも若干小さく設定されている。また、モニタ１３の表示可能領域Ｒにおいては、映像表示領域Ｐ１の左右（あるいは上下）の箇所に、拡大したフォントサイズの文字を表示可能でかつ映像を表示しない映像非表示領域Ｘ１，Ｘ２が形成されている。以下に、このようなスクリーンパネルを有するモニタ１３に適応した場合の拡大表示処理について説明する。
【００３９】
本実施の形態では、図５（ｂ）及び図６に示すように、モニタ１３の映像表示領域Ｐ１にブラウザ画面を表示すると共に、映像非表示領域Ｘ１、Ｘ２を拡大表示領域Ｙ１、Ｙ２として活用して、ブラウザ画面に表示されたウェブコンテンツの内容を拡大表示するものである。尚、映像非表示領域Ｘ１，Ｘ２は、一方の領域のみを活用しても、両方の領域を活用しても良い。
【００４０】
例えば、図４に示すように、モニタ１３にテレビジョン映像画面が表示されている状態で、ユーザの指示に応じて、図５（ａ）に示すように、モニタ１３にウェブコンテンツの初期画面が表示され、「出演者のインタビュー」という項目がカーソルで選択されている状態へと、表示画面が切り替えられる。
【００４１】
この初期画面表示状態から、ユーザによりリモートコントローラ１６の移動キー１１１を用いてカーソルを移動させる。すると、テレビジョン放送受信装置１２は、この移動キー１１１の操作情報に基づいて、拡大表示の対象要素となるカーソルの移動先の文字を判断し、図５（ｂ）に示すように、カーソルの移動先の文字を拡大表示領域Ｙ１，Ｙ２に、より大きなフォントサイズで表示する。
【００４２】
この際、映像表示領域Ｐ１のアスペクト比（縦サイズｃ、横サイズｄ：ａ＞ｃ，ｂ＞ｄ）は変更されない。従って、映像表示領域Ｐ１に表示されているウェブコンテンツのアスペクト比や全体のレイアウトにも変更が生じることはなく、ユーザは違和感なく、ウェブコンテンツを閲覧するとともに、カーソルで指示されている部分を拡大表示にて容易に認識することが可能となる。
【００４３】
次に、図６は、図４に示すような映像非表示領域Ｘ１，Ｘ２を有するモニタ１３に適用した場合の拡大表示処理の他の実施の形態を示す図である。本実施の形態においては、モニタ１３の表示可能領域Ｒのうち、映像表示領域Ｐ１の表示する場所を横方向に所定量だけ移動し、映像非表示領域Ｘ１，Ｘ２を繋げた状態で、拡大表示領域Ｙ３として活用するものである。
【００４４】
この結果、映像表示領域Ｐ１のアスペクト比（縦サイズｃ、横サイズｄ：ａ＞ｃ，ｂ＞ｄ）は変更が生じない上、更に拡大表示領域Ｙ３として図５に示す場合よりも大きな領域を確保することができる。従って、映像表示領域Ｐ１に表示されているウェブコンテンツのアスペクト比や全体のレイアウトにも変更が生じることなく、ユーザは違和感なく、ウェブコンテンツを閲覧するとともに、カーソルで指示されている部分を拡大表示にて容易に認識することが可能となる。
【００４５】
次に、例えば図７に示すように、表示可能領域Ｒに対して、映像表示領域Ｐ１（縦サイズｃ、横サイズｄ：ｃ＜ｄ）の左右（あるいは上下）の箇所に、拡大したフォントサイズの文字を表示不可能なスクリーンパネルを有するモニタ１３に適応した場合の拡大表示処理について説明する。尚、図８及び図１０に示す表示方法は、図４乃至図６で用いたモニタ１３においても同様に適用可能である。
【００４６】
本実施の形態では、活用できる映像非表示領域が充分には存在しないので、映像表示領域Ｐ１の縦サイズと横サイズからなるアスペクト比（ｃ：ｄ）を変えずに、映像表示領域Ｐ１の大きさを縮小映像表示領域Ｐ２（縦サイズｅ、横サイズｆ：ｅ＜ｆ、ｃ：ｄ＝ｅ１：ｆ１＝ｅ２：ｆ２＝ｅ３：ｆ３＝ｅ４：ｆ４）に縮小することにより、拡大表示領域Ｙ４，Ｙ５、Ｙ６、Ｙ７あるいはＹ８を設けるものである。
【００４７】
図８（ａ）は、表示可能領域Ｒのうち、アスペクト比（ｃ：ｄ＝ｅ１：ｆ１）からなるブラウザ画面を表示した縮小映像表示領域Ｐ２を中央上部に配置することにより、下部に形成された映像非表示領域を横長矩形状の拡大表示領域Ｙ４として活用したものである。
【００４８】
図８（ｂ）は、表示可能領域Ｒに、アスペクト比（ｃ：ｄ＝ｅ２：ｆ２）からなるブラウザ画面を表示した縮小映像表示領域Ｐ２と、テレビジョン映像画像を表示した縮小映像表示領域Ｐ３とを中央上部に並べて配置することにより、下部に形成された映像非表示領域を横長矩形状の拡大表示領域Ｙ５として活用したものである。この場合、テレビジョン映像画像Ｐ３をも表示していることから、ブラウザ画面Ｐ２がより小さく表示されるため、ブラウザ画面でユーザが指示した箇所を拡大表示することにより、ユーザはより認識しやすくなる。
【００４９】
図９（ａ）は、表示可能領域Ｒのうち、アスペクト比（ｃ：ｄ＝ｅ２：ｆ２）からなるブラウザ画面を表示した縮小映像表示領域Ｐ２を中央下部に配置することにより、上部に形成された映像非表示領域を横長矩形状の拡大表示領域Ｙ６として活用したものである。
【００５０】
図９（ｂ）は、表示可能領域Ｒに、アスペクト比（ｃ：ｄ＝ｅ３：ｆ３）からなるブラウザ画面を表示した縮小映像表示領域Ｐ２と、テレビジョン映像画像を表示した縮小映像表示領域Ｐ３とを中央上部に並べて配置することにより、下部に形成された映像非表示領域を横長矩形状の拡大表示領域Ｙ７として活用したものである。この場合、テレビジョン映像画像Ｐ３をも表示していることから、ブラウザ画面Ｐ２がより小さく表示されるため、ブラウザ画面でユーザが指示した箇所を拡大表示することにより、ユーザはより認識しやすくなる。また、図８及び図９に示す拡大表示方法は、特にウェブコンテンツにおいて、横書き文字を拡大表示する場合に有効である。
【００５１】
図１０は、表示可能領域Ｒのうち、アスペクト比（ｃ：ｄ＝ｅ１：ｆ１）からなるブラウザ画面を表示した縮小映像表示領域Ｐ２を中央から横方向に移動させ、一方の脇部分に配置することにより、他方の脇部分に形成された映像非表示領域を縦長矩形状の拡大表示領域Ｙ８として活用したものである。図１０に示す拡大表示方法は、特にウェブコンテンツにおいて、縦書き文字を拡大表示する場合に有効である。
【００５２】
即ち、図７に示すように、モニタ１３にウェブコンテンツの初期画面が表示されている状態において、「出演者のインタビュー」という項目がカーソルで選択されていることとする。この初期画面表示状態から、ユーザがリモートコントローラ１６の移動キー１１１を用いてカーソルを移動させる。すると、テレビジョン放送受信装置１２は、この移動キー１１１の操作情報に基づいて、拡大表示の対象要素となるカーソルの移動先の文字を判断し、図８乃至図１０のいずれかの拡大表示方法で、カーソルの移動先の文字を拡大表示領域Ｙ４乃至Ｙ８に、より大きなフォントサイズで表示する。
【００５３】
この結果、映像表示領域Ｐ１のアスペクト比（ｃ：ｄ）と同じ比率の縮小映像表示領域Ｐ２（縦サイズｅ、横サイズｆ：ｅ＜ｆ、ｃ：ｄ＝ｅ１：ｆ１＝ｅ２：ｆ２＝ｅ３：ｆ３＝ｅ４：ｆ４）に縮小することにより、拡大表示領域Ｙ４乃至Ｙ８を設けている。従って、ウェブコンテンツのアスペクト比や全体のレイアウトにも変更が生じることなく、ユーザは違和感を与えることなく、ウェブコンテンツを閲覧するとともに、カーソルで指示されている部分を拡大表示にて容易に認識することが可能となる。
【００５４】
図１１は、テレビジョン放送受信装置１２によるウェブコンテンツの内容を拡大表示する処理方法を示すフローチャート図である。
例えば、テレビジョン放送受信装置１２においては、図示せぬ操作部やリモートコントローラ１６からのユーザの選局操作に基づき、所定のテレビジョン放送チャンネルを選局し、図４に示すように、その放送番組の映像をモニタ１３に表示し、スピーカ１４にて音声を再生する。
【００５５】
このテレビジョン放送の視聴中に、ユーザによって、図示せぬ操作部やリモートコントローラ１６のインターネットキー１１１から、ウェブブラウザの起動が指示されると、制御部２７は、操作キー処理部３５から入力されるウェブブラウザの起動に関する操作情報に応答して、ウェブブラウザを起動する（ステップＳＴ１１）。
【００５６】
ＳＴ１１でウェブブラウザが起動されると、ウェブブラウザ処理部３７は、通信処理部３２を介して初期設定されているＵＲＬ情報を元にアクセス要求を送信し、ネットワーク情報網１５からウェブコンテンツ（マークアップ言語）と画像を取得する（ステップＳＴ１２）。そして、ウェブブラウザ処理部３７のマークアップ言語処理部２９は、ＳＴ１２で取得したマークアップ言語の解析（パーズ）処理を実行し、解析結果をレイアウト表示処理部２８へ出力する（ステップＳＴ１３）。
【００５７】
ＳＴ１３の解析結果を受けて、レイアウト表示処理部２８は、フォント処理部３４を用いて、全画面のレイアウト座標を確定し、ビットマップ情報を生成して出力映像処理部２５に出力し、効果音等の音声信号を生成して出力音声処理部２６に出力する（ステップＳＴ１４）。出力映像処理部２５は、レイアウト表示処理部２８から供給されたビットマップ情報を映像信号に変換し、図５（ａ）または図７に示すように、出力端子４１を介してモニタ１３に初期画面を表示する（ステップＳＴ１５）。
【００５８】
ＳＴ１５にてウェブコンテンツの初期画面が表示されている状態において、ユーザがリモートコントローラ１６の移動キー１１１を用いてカーソルを移動させたと仮定する。すると、操作キー処理部３５は、移動キー１０８に対応した操作情報をフォーカスイベント処理部３０に供給する。フォーカスイベント処理部３０は、入力された移動キー１０８に対応した操作情報に基づいて、カーソルの移動先の文字部分を新たに拡大表示の対象要素として抽出し、この抽出情報とこの拡大表示を指示する情報とをレイアウト表示処理部２８に出力する（ステップＳＴ１６）。
【００５９】
次に、レイアウト表示処理部２８は、フォーカスイベント処理部３０から入力された抽出情報に基づいて、抽出された対象要素に対応する箇所を拡大表示するよう変更したレイアウト座標を確定し、ビットマップ情報を出力映像処理部２５に出力する（ステップＳＴ１７）。
【００６０】
そして、出力映像処理部２５は、レイアウト表示処理部２８から供給されたビットマップ情報を映像信号に変換し、モニター１３のタイプに応じて、図５（ｂ）、図６、図８乃至図１０のいずれかに示すように、モニタ１３に新たな拡大表示を含むウェブブラウザ画面を表示する（ステップＳＴ１８）。
【００６１】
ＳＴ１８の表示状態のもとで、ユーザがリモートコントローラ１６のキー操作を実行すると、操作キー処理部３５はユーザが操作したキーに対応した操作情報を判断して、制御部２７とフォーカスイベント処理部３０に供給する（ステップＳＴ１９のＹｅｓ）。この操作情報が移動キー１０８に対応したものであると判断されると（ステップＳＴ２０のＹｅｓ）、ＳＴ１６の処理へと戻り、フォーカスイベント処理部３０は、新たに拡大表示の対象要素を抽出し、レイアウト表示処理部２８に出力する（ＳＴ１６）。
【００６２】
また、操作情報がコンテンツ変更を要求するものであると判断されると（ステップＳＴ２０のＮｏ、ＳＴ２１のＮｏ、ＳＴ２２のＹｅｓ）、ＳＴ１２の処理へと戻り、ウェブブラウザ処理部３７が、通信処理部３２を介して新たなＵＲＬ情報を元にアクセス要求を送信し、ネットワーク情報網１５からウェブコンテンツ（マークアップ言語）と画像を取得する（ＳＴ１２）。
【００６３】
また、移動キー１０８、コンテンツ変更及びウェブブラウザの終了以外の操作情報であると判断されると（ステップＳＴ２０のＮｏ、ＳＴ２１のＮｏ、ＳＴ２２のＮｏ）、ＳＴ１９の処理へと戻り、ユーザによるキー操作の待機状態となる。また、操作情報がウェブブラウザの終了が要求されたものであると判断されると（ステップＳＴ２０のＮｏ、ステップＳＴ２１のＹｅｓ）、制御部２７は、ウェブブラウザを終了させ（ステップＳＴ２３）、図４に示すように、先に受信していたテレビジョン放送の視聴を開始する。
【００６４】
以上の通り、本実施の形態では、映像表示領域に本来表示されるウェブブラウザ画面の大きさ或いは縦横比率（アスペクト比）を変更することなく、ユーザが指定した箇所を拡大表示することが可能となる。従って、表示されているウェブコンテンツ全体レイアウトへ影響を与えない（崩さない）ため、ユーザは違和感なく、ウェブコンテンツを閲覧するとともに、カーソルで指示されている部分を拡大表示にて容易に認識することができ、ユーザの利便性の向上を図ることができる。
【００６５】
次に、図１２乃至図１７を用いて、上述するテレビジョン放送受信システムＡ及びテレビジョン放送受信装置１２の構成により、ウェブコンテンツ内に存在するビットマップ画像情報を拡大表示する方法について説明する。尚、本実施の形態では、上述した図６に示す拡大表示画面の設定のモニタ１３に適用した場合のビットマップ画面の拡大表示方法を説明するが、これに限るものではない。
【００６６】
図１２及び図１３は、モニタ１３に表示された拡大表示画面の一例を示すものである。本実施の形態では、拡大表示領域Ｙ３で拡大表示することができるビットマップ画像の大きさを予め制限しており、メモリ３８に予め基準となる基準値を格納している。ここで、「ビットマップＹ」画像５１の大きさは、あらかじめ設定された基準値の範囲内であるとし、「ビットマップＸ」画像５２の大きさは、この基準値の範囲外であることとする。
【００６７】
そして、ユーザがリモートコントローラ１６の移動キー１１１を用いてカーソルを移動させ、ビットマップ画像が選択されると、制御部２７は、メモリ３８に格納されている基準値と比較して、この基準値よりも小さい（すなわち制限範囲内の）大きさのビットマップ画像であると判定された場合には、ビットマップ画像を拡大するよう変換し、拡大表示領域Ｙ３に拡大したビットマップ画像を表示するものである。
【００６８】
図１２は、ユーザによりカーソルで「ビットマップＹ」画像５１が選択された場合のモニタ１３の拡大画面表示の様子を示すものである。図１２に示すように、カーソルで選択された「ビットマップＹ」画像５１の大きさは、基準値よりも小さく、制限範囲内であるため、拡大表示領域Ｙ３内に拡大されたビットマップ画面５３が表示されることとなる。
【００６９】
図１３は、ユーザによりカーソルで「ビットマップＸ」画像５２が選択された場合のモニタ１３の拡大画面表示の様子を示すものである。図１３に示すように、カーソルで選択された「ビットマップＸ」画像５２の大きさは、基準値よりも大きく、制限範囲外であるため、拡大表示領域Ｙ３には何も表示されないこととなる。
【００７０】
このように、ビットマップ画像をビットマップの拡大変換処理した後に拡大表示領域に拡大表示する方式においては、拡大表示領域の大きさに合わせて、予め拡大表示可能なビットマップ画像の基準値を設定しておくことにより、映像表示領域Ｐ１に表示されているブラウザ画面のアスペクト比やウェブコンテンツの全体レイアウトを変更することなく、テキスト情報のみならずビットマップ画像情報をも拡大表示にて容易に認識することが可能となる。尚、本実施の形態におけるビットマップの拡大変換処理は、公知の技術で実施することが可能であるので説明を省略している。
【００７１】
次に、図１４は、テレビジョン放送受信装置１２において、上述したようなウェブコンテンツ中のビットマップ画像情報を拡大表示する処理方法を示すフローチャート図である。尚、図１１に示すフローチャート図と同様の処理ステップには同じステップ番号を付与するとともに、当該処理ステップの説明を省略する。
【００７２】
例えば、テレビジョン放送受信装置１２では、制御部２７によりユーザの指示に基づいてウェブブラウザが起動されると（ＳＴ１１）、ウェブブラウザ処理部３７は、ネットワーク情報網１５からウェブコンテンツと画像を取得し（ＳＴ１２）、マークアップ言語の解析（パーズ）処理を実行し（ＳＴ１３）、全画面のレイアウト座標を確定する（ＳＴ１４）。そして、出力映像処理部２５の処理のもと、モニタ１３に映像信号に変換したウェブコンテンツの初期画面が表示される（ＳＴ１５）。
【００７３】
この初期画面の表示中に、ユーザによってカーソルの移動が指示されると、フォーカスイベント処理部３０は、カーソルの移動先を新たに拡大表示の対象要素として抽出する（ＳＴ１６）。このＳＴ１６で抽出した箇所がテキスト情報であった場合には（ステップＳＴ３１のＮｏ）、ＳＴ１７の処理ステップへと進み、図１１に示すフローチャート図で説明した処理と同様となる。
【００７４】
ＳＴ１６で抽出した箇所がビットマップ画像であった場合には（ステップＳＴ３１のＹｅｓ）、フォーカスイベント処理部３０は、ビットマップ画像の大きさが予め設定された基準値と比較し、この標準値の制限範囲内であるかを判定する（ステップＳＴ３２）。この判定の結果、制限範囲を超えるビットマップ画像であると判定されると（ステップＳＴ３２のＮｏ）、ＳＴ１９の処理ステップへと進み、ユーザによるキー操作の待機状態となる。
【００７５】
ＳＴ３２の判定の結果、制限範囲内のビットマップ画像であると判定されると（ＳＴ３３のＹｅｓ）、フォーカスイベント処理部３０は、ビットマップ画像に対応する抽出情報とこの拡大表示を指示する情報とをレイアウト表示処理部２８に出力する。
【００７６】
レイアウト表示処理部２８は、フォーカスイベント処理部３０から入力された抽出情報に基づいて、抽出された対象要素に対応する箇所を拡大表示するよう変更したレイアウト座標を確定し、ビットマップ情報を出力映像処理部２５に出力する（ＳＴ１７）。
【００７７】
そして、出力映像処理部２５は、レイアウト表示処理部２８から供給されたビットマップ情報を映像信号に変換し、図１２乃至図１５のいずれかに示すように、モニタ１３に新たな拡大表示を含むウェブブラウザ画面を表示する（ＳＴ１８）。以降は、図１１に示すフローチャート図で説明した処理と同様となる。
【００７８】
次に、図１５乃至図１６は、モニタ１３に表示された拡大表示画面の他の実施例を示すものである。本実施の形態では、ユーザがリモートコントローラ１６の移動キー１１１を用いてカーソルを移動させてビットマップ画像を選択した場合に、選択されたビットマップ画像中に存在する文字を公知の技術からなる文字認識処理により認識して、この認識された文字を拡大表示領域に拡大してテキスト表示するものである。ここで、「ビットマップＹ」画像５１には「ビットマップＸ」という文字の画像が含まれており、「ビットマップＸ」画像５２には「ビットマップＹ」という文字の画像が含まれていることとする。
【００７９】
図１５は、ユーザによりカーソルで「ビットマップＹ」画像５１が選択された場合のモニタ１３の拡大画面表示の様子を示すものである。図１５に示すように、カーソルで「ビットマップＹ」画像５１が選択されると、「ビットマップＹ」画像５１中に存在する文字「ビットマップＹ」を文字認識し、認識された文字「ビットマップＹ」を拡大表示領域Ｙ３に拡大したフォントサイズでテキスト表示する。
【００８０】
図１６は、ユーザによりカーソルで「ビットマップＸ」画像５２が選択された場合のモニタ１３の拡大画面表示の様子を示すものである。図１６に示すように、カーソルで「ビットマップＸ」画像５２が選択されると、「ビットマップＸ」画像５２中に存在する文字「ビットマップＸ」を文字認識し、認識された文字「ビットマップＸ」を拡大表示領域Ｙ３に拡大したフォントサイズでテキスト表示する。
【００８１】
この結果、映像表示領域Ｐ１に表示されているブラウザ画面のアスペクト比や、ウェブコンテンツの全体レイアウトを変更することなく、ウェブコンテンツ中に存在するテキスト情報のみならず文字を含むビットマップ画像においても、その文字情報を拡大表示にて容易に認識することが可能となる。
【００８２】
次に、図１７は、テレビジョン放送受信装置１２において、上述したようなウェブコンテンツ中のビットマップ画像情報を拡大表示する処理方法を示すフローチャート図である。尚、図１１および図１４に示すフローチャート図と同様の処理ステップには同じステップ番号を付与するとともに、当該処理ステップの説明を省略する。
【００８３】
テレビジョン放送受信装置１２において、ＳＴ１５における初期画面の表示中に、ユーザによってカーソルの移動が指示されると、フォーカスイベント処理部３０は、カーソルの移動先を新たに拡大表示の対象要素として抽出する（ＳＴ１６）。このＳＴ１６で抽出した箇所がテキスト情報であった場合には（ステップＳＴ３１のＮｏ）、ＳＴ１７の処理ステップへと進み、図１１および図１４のフローチャート図で説明した処理と同様となる。
【００８４】
ＳＴ１６で抽出した箇所がビットマップ画像であった場合には（ステップＳＴ３１のＹｅｓ）、フォーカスイベント処理部３０は、ビットマップ画像に対して文字認識処理を実行し、ビットマップ画像中に存在する文字を抽出し（ステップＳＴ３４）、この認識された文字情報とこの拡大表示を指示する情報とをレイアウト表示処理部２８に出力し、ＳＴ１７の処理ステップへと進み、図１１および図１４のフローチャート図で説明した処理と同様となる。
【００８５】
以上の通り、本実施の形態では、映像表示領域に本来表示されるウェブブラウザ画面の大きさ或いは縦横比率を変更することなく、ウェブコンテンツ中のユーザが指定したビットマップ画像を拡大表示することが可能となる。従って、表示されているウェブコンテンツ全体レイアウトへ影響を与えない（崩さない）ため、ユーザは違和感なく、ウェブコンテンツを閲覧するとともに、カーソルで指示されている部分を拡大表示にて認識することができ、ユーザの利便性の向上を図ることができる。
【００８６】
次に、図１８乃至図２２を用いて、上記構成の一部を変形（追加）したテレビジョン放送受信装置６０におけるウェブコンテンツの内容を拡大表示する処理について説明する。図１８は、テレビジョン放送受信装置６０の構成の一実施の形態を示すブロック図である。尚、図２に示すブロック図と同様の機能ブロックには同じ番号を付与するとともに、当該機能ブロックの説明を省略する。
【００８７】
本実施の形態では、テレビジョン放送受信装置６０に有線あるいは無線で接続する表示装置としてモニタ１３は、映像信号を表示する例えばＣＲＴモニタ等から構成されるスクリーンパネル６３ａと、その上面に少なくともテキスト情報を表示可能な透明パネル６３ｂを重ねあわせるよう配置された構成のものを用いる。この透明パネル６３ｂは、主に字幕や文字放送などのキャラクタ情報の表示に適用されるもので、透明パネル６３ｂにテキスト情報が表示される場合には、モニタ１３に表示される映像画面に重なりあうよう表示されることとなる。
【００８８】
図１８に示すように、テレビジョン放送受信装置６０においては、選局処理部２２は、選局したテレビジョン信号を入力映像処理部２３及び入力音声処理部２４にそれぞれ出力するとともに、選局したテレビジョン信号に関するキャラクタ信号を入力キャラクタ処理部６１へ出力する。入力キャラクタ処理部６１は、入力されたキャラクタ信号に対してデコード処理を施し、出力キャラクタ処理部６２へ出力する。
【００８９】
フォーカスイベント処理部３０は、操作キー処理部３５から、拡大表示の指示機能が割り当てられているキー（例えば決定キー１０９）に対応した操作情報が入力されると、拡大表示の対象となる要素を抽出し、この抽出情報をレイアウト表示処理部２８に出力する。レイアウト表示処理部２８は、フォーカスイベント処理部３０からの抽出情報が入力されると、マークアップ言語処理部２９より入力された解析結果に基づいて、抽出情報に対応するキャラクタ情報を出力キャラクタ処理部６２に出力する。
【００９０】
又、制御部２７は、更に出力キャラクタ処理部６２に接続されており、操作キー処理部３５から、拡大表示の指示機能が割り当てられているキーに対応した操作情報が入力されると、キャラクタの拡大表示に関する制御信号を出力キャラクタ処理部６２に出力する。出力キャラクタ処理部６２は、制御部２７からの制御信号に基づいて、レイアウト表示処理部２８から入力されたキャラクタ情報を拡大表示したキャラクタ画像信号に変換し、透明パネル６３ｂに出力し、キャラクタ情報を拡大表示させる。
【００９１】
図１９乃至図２１は、本実施の形態のモニタ１３にウェブコンテンツ内容が、透明パネル６３ｂにキャラクタ情報が拡大表示された表示画面の一例を示すものである。図１９に示すように、モニタ１３にウェブコンテンツの画面が表示されている状態において、ユーザがリモートコントローラ１６の拡大表示の指示機能が割り当てられているキー（例えば決定キー１０９）を操作する。すると、図２０及び図２１に示すように、カーソルで選択されている箇所のキャラクタ情報が透明パネル６３ｂの予め設定された所定の表示領域６４に拡大表示されることとなる。
【００９２】
次に、図２２は、テレビジョン放送受信装置６０において、上述したようなウェブコンテンツ中の選択したキャラクタ情報を拡大表示する処理方法を示すフローチャート図である。尚、図１１に示すフローチャート図と同様の処理ステップには同じステップ番号を付与するとともに、当該処理ステップの説明を省略する。
【００９３】
例えば、テレビジョン放送受信装置１２では、ユーザの指示に基づいてウェブブラウザが起動されると（ＳＴ１１）、ウェブブラウザ処理部３７は、ネットワーク情報網１５からウェブコンテンツと画像を取得し（ＳＴ１２）、マークアップ言語の解析（パーズ）処理を実行し（ＳＴ１３）、全画面のレイアウト座標を確定する（ＳＴ１４）。そして、出力映像処理部２５の処理のもと、モニタ１３に映像信号に変換したウェブコンテンツの初期画面が表示される（ＳＴ１５）。
【００９４】
ＳＴ１５の表示状態のもとで、ユーザがリモートコントローラ１６のキー操作を実行すると、操作キー処理部３５はユーザが操作したキーに対応した操作情報を判断して、制御部２７とフォーカスイベント処理部３０に供給する（ステップＳＴ１９のＹｅｓ）。この操作情報が拡大表示の指示に対応したものであると判断されると（ステップＳＴ２０のＹｅｓ）、フォーカスイベント処理部３０は、カーソルの選択先を拡大表示の対象要素として抽出して、レイアウト表示処理部２８に出力する（ステップＳＴ４１）。
【００９５】
レイアウト表示処理部２８は、抽出情報に対応するキャラクタ情報を出力キャラクタ処理部６２に出力する。また制御部２７は、キーの操作情報に対応して、キャラクタの拡大表示に関する制御信号を出力キャラクタ処理部６２に出力する。出力キャラクタ処理部６２は、制御部２７からの制御信号に基づいて、レイアウト表示処理部２８から入力されたキャラクタ情報を拡大表示したキャラクタ画像信号に変換し、透明パネル６３ｂに出力し、キャラクタ情報を拡大表示させる（ステップＳＴ４２）。
【００９６】
また、拡大表示の指示キー及びウェブブラウザの終了以外の操作情報であると判断されると（ステップＳＴ２０のＮｏ、ＳＴ２１のＮｏ）、ＳＴ１９の処理へと戻り、ユーザによるキー操作の待機状態となる。また、操作情報がウェブブラウザの終了が要求されたものであると判断されると（ステップＳＴ２０のＮｏ、ステップＳＴ２１のＹｅｓ）、制御部２７は、ウェブブラウザを終了させ（ステップＳＴ２３）、先に受信していたテレビジョン放送の視聴を開始する。
【００９７】
本実施の形態においては、映像信号を表示するためのスクリーンパネル６３ａと、その上面に少なくともテキスト情報を表示可能な透明パネル６３ｂを重ねあわせるよう配置させた構成の表示装置を用いることにより、ユーザの拡大表示指示に応じて、カーソルで選択されたウェブコンテンツのテキスト部分を、透明パネル６３ｂに拡大表示することにより、表示されているウェブコンテンツ全体レイアウトへ影響を与えることなく、ウェブコンテンツを閲覧するとともに、カーソルで指示されている部分を拡大表示にて認識することができ、ユーザの利便性の向上を図ることができる。
【００９８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００９９】
【図１】本発明に係る放送受信装置を含むテレビジョン放送受信システムＡの概略構成を示す図。
【図２】テレビジョン放送受信装置１２の構成の一実施の形態を示すブロック図。
【図３】リモートコントローラ１６の外観を示し、キー配置の一実施の形態を示す図。
【図４】モニタ１３にウェブコンテンツの画面を表示した状態を示す図。
【図５】モニタ１３に表示された拡大表示画面を示す図。
【図６】モニタ１３に表示された拡大表示画面を示す図。
【図７】モニタ１３の他の例にウェブコンテンツの画面を表示した状態を示す図。
【図８】図４に示すモニタ１３に表示された拡大表示画面を示す図。
【図９】図４に示すモニタ１３に表示された拡大表示画面を示す図。
【図１０】図４に示すモニタ１３に表示された拡大表示画面を示す図。
【図１１】テレビジョン放送受信装置１２によるウェブコンテンツの内容を拡大表示する処理方法を示すフローチャート図。
【図１２】モニタ１３に表示された拡大表示画面の一例を示す図。
【図１３】モニタ１３に表示された拡大表示画面の一例を示す図。
【図１４】テレビジョン放送受信装置１２において、上述したようなウェブコンテンツ中のビットマップ画像情報を拡大表示する処理方法を示すフローチャート図。
【図１５】モニタ１３に表示された拡大表示画面の他の実施例を示す図。
【図１６】モニタ１３に表示された拡大表示画面の他の実施例を示す図。
【図１７】テレビジョン放送受信装置１２において、上述したようなウェブコンテンツ中のビットマップ画像情報を拡大表示する他の処理方法を示すフローチャート図。
【図１８】テレビジョン放送受信装置６０の構成の一実施の形態を示すブロック図。
【図１９】モニタ１３にウェブコンテンツの画面を表示した状態を示す図。
【図２０】モニタ１３にウェブコンテンツ内容が、透明パネル６３ｂにキャラクタ情報が拡大表示された表示画面の一例を示す図。
【図２１】モニタ１３にウェブコンテンツ内容が、透明パネル６３ｂにキャラクタ情報が拡大表示された表示画面の他の例を示す図。
【図２２】テレビジョン放送受信装置６０において、上述したようなウェブコンテンツ中の選択したキャラクタ情報を拡大表示する処理方法を示すフローチャート図。
【符号の説明】
【０１００】
Ａ    テレビジョン放送受信システム
１２、６０    テレビジョン放送受信装置
１３    モニタ
１４    スピーカ
１５    ネットワーク情報網
１６    リモートコントローラ
２５    出力映像処理部
２６    出力音声処理部
２７    制御部
２８    レイアウト表示処理部
２９    マークアップ言語処理部
３０    フォーカスイベント処理部
３５    操作キー処理部
３７    ウェブブラウザ処理部
３８    メモリ
６１    入力キャラクタ処理部
６２    出力キャラクタ処理部
６３ａ    スクリーンパネル
６３ｂ    透明パネル
【図１】
2006019780.tif 000003
【図２】
2006019780.tif 000004
【図３】
2006019780.tif 000005
【図４】
2006019780.tif 000006
【図５】
2006019780.tif 000007
【図６】
2006019780.tif 000008
【図７】
2006019780.tif 000009
【図８】
2006019780.tif 000010
【図９】
2006019780.tif 000011
【図１０】
2006019780.tif 000012
【図１１】
2006019780.tif 000013
【図１２】
2006019780.tif 000014
【図１３】
2006019780.tif 000015
【図１４】
2006019780.tif 000016
【図１５】
2006019780.tif 000017
【図１６】
2006019780.tif 000018
【図１７】
2006019780.tif 000019
【図１８】
2006019780.tif 000020
【図１９】
2006019780.tif 000021
【図２０】
2006019780.tif 000022
【図２１】
2006019780.tif 000023
【図２２】
2006019780.tif 000024